(57)【要約】      （修正有）【課題】パッケージ外面に行うメッセージングが、摩耗、汚損により消失しないようにする。【解決手段】内容積部への入口又は通路を部分的に閉塞するタブを設けこれにメッセージングを標記する。【選択図】なし【特許請求の範囲】
【請求項１】
容器と、選択的に開放可能なカバーと、を備える容器システムであって、
前記容器は、底壁と、前記底壁から離れて延在する１つ以上の側壁とを備え、
前記底壁及び前記１つ以上の側壁は、前記容器の内容積部を画定し、
前記容器は、前記内容積部へのアクセスを提供する通路への入口を画定するリムを更に備え、
前記容器は、前記入口又は通路を部分的に閉塞するタブを更に備え、前記タブは、静止位置へと付勢された自由端を含み、前記自由端は、前記内容積部内へと撓むことが可能である、
容器システム。
【請求項２】
前記タブが、プラスチック、好適にはポリエチレンテレフタレート（ＰＥＴ）、ポリプロピレン又はポリスチレンを含む材料、より好適にはＰＥＴから作製される、請求項１に記載の容器システム。
【請求項３】
前記タブが、前記入口の主要寸法に対して実質的に平行な長さを有する、請求項１又は２に記載の容器システム。
【請求項４】
前記タブが、前記入口の前記主要寸法の最大７５％である可視自由端長を含む、請求項１〜３のいずれか一項に記載の容器システム。
【請求項５】
前記タブが、１つの側壁のみに近い前記リムの一部分に隣接している、請求項１〜４のいずれか一項に記載の容器システム。
【請求項６】
前記タブに隣接する前記リムの前記部分が、前記リムの内周の３０％未満の長さを有する、請求項１〜５のいずれか一項に記載の容器システム。
【請求項７】
前記入口が表面積を有する形状を画定し、前記タブが、前記容器の前記内容積部から離れる方向に面する上面を有し、前記上面の上方から見たときの前記タブの前記自由端の可視部分もまた表面積を有し、前記自由端の前記可視部分の前記表面積が、前記入口によって画定される前記形状の前記表面積の５０％未満である、請求項１〜６のいずれか一項に記載の容器システム。
【請求項８】
前記内容積部が平均高さを有し、前記タブの前記自由端が、前記内容積部の前記平均高さよりも小さい長さを有する、請求項１〜７のいずれか一項に記載の容器システム。
【請求項９】
前記タブが、前記容器の前記内容積部から離れる方向に面する上面を備え、前記上面は、情報表示用のしるし、好適には指示表示用のしるし、より好適には前記容器システムの投与内容に関する指示表示用のしるしを含む、請求項１〜８のいずれか一項に記載の容器システム。
【請求項１０】
前記容器が、容器本体と、前記容器本体に接続可能なシュラウドとを備え、好適には前記タブが前記シュラウドに取り付けられ、より好適には前記タブが前記シュライドと共に単一の部品として成形されている、請求項１〜９のいずれか一項に記載の容器システム。
【請求項１１】
前記シュラウドが、前記シュラウドの底面から離れて延在する突起部を含み、前記突起部は前記タブの固定端の隣にある、請求項１〜１０のいずれか一項に記載の容器システム。
【請求項１２】
前記タブが、前記シュラウドと前記容器本体との間に挟まれ締め付けられている、請求項１〜１１のいずれか一項に記載の容器システム。
【請求項１３】
前記内容積部が複数の単位用量物品を含み、好適には各物品は、水溶性フィルムに封入された、組成物、好適には家庭用ケア組成物を含む、請求項１〜１２のいずれか一項に記載の容器システム。
【請求項１４】
前記内容積部が複数の単位用量物品を含み、前記物品は平均最小寸法によって特徴付けられ、前記タブは、リム縁部から離間された側縁部を含み、前記タブの側縁部と前記リム縁部との間の距離が、前記平均最小寸法の１５０％以下、好適には１２５％以下、好適には１００％以下である、請求項１〜１３のいずれか一項に記載の容器システム。
【請求項１５】
請求項１〜１４のいずれか一項に記載の容器システムを製造するプロセスであって、
容器を提供する工程であって、前記容器は、前記容器の内容積部への通路へのアクセスを提供する入口を有する、工程と、
タブを、前記入口及び／又は前記通路を部分的に閉塞するように、前記容器に取り付ける工程と、を含むプロセス。
【発明の詳細な説明】
【技術分野】
【０００１】
本開示は、改善されたメッセージング構造を有する容器システムに関する。例えば、本開示は、内容積部への入口又は通路を部分的に閉塞するタブを含む容器システムに関する。本開示はまた、容器システムの製造方法及び使用方法にも関する。
【背景技術】
【０００２】
消費者製品製造業者は、多くの場合、それらの製品を使用する消費者に特定の情報を伝えることを望む。このような情報には、安全情報、使用説明、及び／又はブランディング／マーケティング情報が含まれ得る。
【０００３】
従来、このような情報は、パッケージの外部、例えばラベル上に配置される。パッケージの前面パネルは、典型的には、購入時に魅力的に見えるようにデザインされる。使用説明、安全情報、又は連絡先などの他の情報は、多くの場合、側面パネル又は背面パネル上に配置される。前面パネルが他のパネルと比較してより美しいために、消費者が、前面パネルが通常の保管及び／又は使用中に見えるままであることを好む場合がある。しかしながら、これは、製造元の情報表示が隠され、忘れられ、及び／又は無視されやすいままとなることを意味し得る。更に、ラベルの一部が、その配置にかかわらず、パッケージの輸送又は頻回の使用によって摩耗又は汚損し、その情報を更に覆い隠してしまうおそれもある。
【０００４】
製造業者及び販売業者は、パッケージの他の部分上（又はその中）での情報の表示を試みてきたが、依然として不都合が存在する。例えば、取り外し可能な封止部が、容器の入口の上に配置されてもよいが、これらは、特に手の力の弱い者にとっては取り外すことが困難であるおそれがある。スリットを有する封止部が、容器の入口全体を覆ってもよいが、内容物の全てを取り出すこと、及び／又は内容物のうちのどれだけが残っているかを見ることが困難であるおそれがある。抜き差し自在のリーフレットが容器の内部に配置されてもよいが、それらの鋭利な縁部が容器の内容物を損傷するおそれがある。また、リーフレットが内容物の下に埋もれ、使用者から見えなくなってしまうおそれもある。「下げ札」がボトルのネックから垂らされてもよいが、そのようなシステムは、組み立てに費用がかかる場合があり、また、札が容器上の重要な情報を覆い隠してしまうおそれもある。更に、これらのメッセージング構造体が、往々にして使用者によって簡単に廃棄されてしまうことが、製品を繰り返して使用するのに伴って所望のメッセージングが強調されないことをも意味する。
【０００５】
上記を考慮すると、現在の容器システムは、技術的解決策を必要とする技術的問題を有することが明らかである。
【発明の概要】
【発明が解決しようとする課題】
【０００６】
即ち、改善されたメッセージング構造を有する容器システムが必要とされている。
【課題を解決するための手段】
【０００７】
本開示は、タブの形であってもよい、改善されたメッセージング構造を有する容器システムに関する。
【０００８】
例えば、本開示は、容器と選択的に開放可能なカバーとを含む容器システムに関し、この容器は、底壁と、底壁から離れて延在する１つ以上の側壁とを含み、底壁及び１つ以上の側壁は容器の内容積部を画定し、容器は、内容積部へのアクセスを提供する通路への入口を画定するリムを更に備え、容器は、入口又は通路を部分的に閉塞するタブを更に含み、タブは、静止位置へと付勢された自由端を含み、自由端は内容積部内へと撓ませることが可能である。
【０００９】
本開示はまた、容器システムを作製するプロセスにも関し、このプロセスは、容器を提供する工程と、容器の内容積部への通路へのアクセスを提供する入口を有する容器を提供する工程と、タブを、入口及び／又は通路を部分的に閉塞するように容器に取り付ける工程と、を含む。
【図面の簡単な説明】
【００１０】
本明細書の図面は、事実上例示的なものであり、制限的であることを意図したものではない。
【図１】本開示による容器システムを示す。
【図２】本発明に記載のタブの上面図を示す。
【図３】本発明に記載のタブの側面図を示す。
【図４】本開示による容器システムの一部分の上面図を示す。
【図５】使用中の本開示の容器システムを示す。
【図６】本開示の容器システムを示す。
【図７】本開示による別の容器システムを示す。
【図８】本開示によるシュラウド、タブ、及びカバーの底面斜視図を示す。
【図９】しるしを有するタブを示す。
【図１０】タブを示す。
【図１１】脚部を有するタブを示す。
【図１２】本開示による単位容量物品を示す。
【発明を実施するための形態】
【００１１】
上記の技術的問題のうちの１つ以上に対処するために、本出願は、改善されたメッセージング構造を有する容器システムの解決策を提供する。より具体的には、本開示の容器システムは、容器の入口及び／又は入口から容器の内容積部まで延在する通路を部分的に閉塞するタブを含む。概略的には、タブは容器システムの内部に位置するが、内容物から離れるように配置され、実質的には内容物から離れて持ち上げられるか、又はその上に保持されるように配置される。
【００１２】
タブが、静止位置において入口の縁部付近から入口を通過する中心軸に向かって延在する自由端を含んでもよい。自由端を、例えば収容製品を取り出すために伸ばした手によって容器の内容積部に向かって又は内容積部内へと撓ませることが可能であってもよい。（例えば手などの）欠陥のある力が除去されると、自由端はその静止位置に戻ることができる。
【００１３】
タブが、例えば上面に配置された情報表示用のしるしを含んでもよい。情報表示用のしるしが、使用説明書（投与情報を含む）、安全情報、ブランディング若しくはマーケティング情報、又はこれらの組み合わせに関連していてもよい。タブが、例えば、消費者が手を容器の内容物に向かって伸ばしながらタブを撓ませることによって内容積部へアクセスするたびに、消費者がタブと物理的に相互作用するように寸法決め及び配置されることが望ましい。理論に束縛されるものではないが、内容積部にアクセスする際に（特に繰り返し使用時に）タブと物理的に相互作用することによって、消費者は、その上に位置する情報表示用のしるしに気付く可能性がより高いと考えられる。
【００１４】
本開示の様々な実施形態を本明細書で更に詳細に述べる。
【００１５】
本明細書において使用する場合、特許請求の範囲で使用されるときの「ａ」及び「ａｎ」という冠詞は、特許請求又は記載されているもののうちの１つ又は２つ以上を意味すると理解される。本明細書において使用する場合、「含む（include）」、「含む（includes）」、及び「含んでいる（including）」という用語は、非限定的であることを意味する。本開示の組成物は、本開示の成分を含み、それらから本質的になり、又はそれらからなることができる。
【００１６】
本明細書では、用語「実質的に含まない（substantially free of）」又は「実質的に含まない（substantially free from）」が使用され得る。これは、指示される物質が最小限の量であり、組成物の一部を形成するように意図的に組成物に添加されない、又は、好ましくは、分析的に検出可能な濃度で存在しないことを意味する。それは、示された材料が意図的に含まれる他の材料の１つの中に不純物としてのみ存在する、組成物を含むことを意味する。示された材料は、もしある場合は、組成物の１重量％未満、又は０．１重量％未満、又は０．０１重量％未満、又は更には０重量％のレベルで存在してもよい。
【００１７】
本明細書における「柔軟剤組成物」という用語は、布処理用に設計された組成物及び配合物を含む。かかる組成物としては、洗濯洗浄組成物及び洗剤、布地用柔軟化組成物、布地用強化組成物、布地用消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織シート表面又は内部に含有される洗剤、及び本明細書の教示を考慮すると当業者には明白であろう他の好適な形態が挙げられるが、これらに限定されない。かかる組成物を洗濯前処理、洗濯後処理として使用してもよく、あるいは洗濯動作のすすぎ又は洗浄サイクル中に加えてもよい。
【００１８】
特に明記しない限り、成分又は組成物の濃度は全て、当該成分又は組成物の活性部分に関するものであり、かかる成分又は組成物の市販の供給源中に存在し得る不純物、例えば、残留溶媒又は副生成物は除外される。
【００１９】
本明細書における全ての温度は、特に断らない限り、摂氏（℃）を単位とする。特に規定がない限り、本明細書における全ての測定は、２０℃及び大気圧下で行う。
【００２０】
本開示の全ての実施形態において、全ての比率（％）は、特に記載のない限り、全組成物の重量に対するものである。別途記載のない限り、全ての比は重量比である。
【００２１】
本明細書の全体を通して記載される全ての最大数値限定は、それよりも小さい全ての数値限定を、かかるより小さい数値限定があたかも本明細書に明確に記載されているかのように含むものと理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２２】
容器システム
本開示は、容器システムに関する。本開示の容器システムが、消費者製品、食品製品、医薬品、又は製造業者がこれに関する情報を表示することを望みうる任意の他の製品を収容するのに好適であってもよい。
【００２３】
図１は、例示的な容器システム１を示す。容器システム１が、容器５及びカバー１０を有してもよい。容器システム１はまた、容器５のリム１２の近くから容器５の中心軸２０に向かって延在するタブ１００を含む。容器５は、単位用量物品２００などの内容物を収容することの可能な内容積部１９を含む。これらの要素について下記により詳細に述べる。
【００２４】
カバー１０が選択的に開放可能であってもよい。カバー１０が、内容積部１９へのアクセスを可能にする開位置を有してもよい。カバー１０が、内容積部１９へのアクセスを防止することの可能な閉位置を有してもよい。カバー１０が、カバー１０が閉位置にあるときに容器の内容積部１９に面することの可能な内面２１を含んでもよい。図１に示すように、カバー１０は、容器５にヒンジにより連結されてもよく、閉位置から開位置へと移動するときに軸の周りを回転してもよく、又はその逆であってもよい。容器システム１は、カバー１０が閉位置にあるときに実質的に水密であってもよく、これは、容器システム１が水溶性の単位用量物品２００などの感水性の内容物を含む場合に特に有利であり得る。容器システム１が、特定の方法で操作されなければならない、スクィーズアンドターン機構、プレスアンドターン機構、又はラッチ／ボタンなどの、カバー１０を開けることをより困難にするチャイルドレジスタント機構を含んでもよい。
【００２５】
容器５が、底壁１４と、底壁１４から離れて延在する１つ以上の側壁１５、１６、１７、１８とを含んでもよい。底壁１４及び１つ以上の側壁１５、１６、１７、１８が、容器５の内容積部１９を画定するように協働してもよい。容器５が、正面壁１５に面する観察者から見て、正面壁１５、後壁１６、左側壁１７及び右側壁１８を含んでもよい。１つ以上の側壁１５、１６、１７、１８はそれぞれ、底壁１４に又はその付近に位置する近位端２２と、底壁１４から離れて位置する遠位端２３とを含んでもよい。
【００２６】
容器５が、リム１２を含んでもよい。図１に示すように、リム１２が、１つ以上の側壁１５、１６、１７、１８により、例えば近位端２２に沿って画定されてもよい。リム１２が、容器５の内容積部１９への通路２５へのアクセスを提供する入口１３を画定してもよい。入口１３が、図１のＸ−Ｙ平面などの平面２６内に位置する形状を有してもよい。
【００２７】
容器５及びカバー１０が、任意の適切な材料で作製されていてもよい。典型的には、容器５は、その形状を概ね保持する比較的剛性の材料で作製されている。任意の好適なポリオレフィン及び／又はポリエステルを使用することができる。容器５及び／又はカバー１０が、それぞれ、ポリエチレンテレフタレート、ポリプロピレン、ポリエチレン、ポリスチレン、アクリロニトリルブタジエンスチレン（ＡＢＳ）、ポリエステル、ポリ塩化ビニル、ポリカーボネート、若しくはエラストマー、又はこれらの材料の（混合物を含む）組み合わせなどの成形可能な熱可塑性材料で部分的に又は全体的に形成されていてもよい。容器５がポリエチレンテレフタレート（ＰＥＴ）製であってもよく、カバー１０がポリプロピレン製であってもよい。
【００２８】
容器５が、任意の好適なサイズであってもよい。例えば、内容積部１９が、少なくとも約０．５Ｌ、又は少なくとも約１Ｌ、又は少なくとも約２Ｌ、又は少なくとも約３Ｌ、又は少なくとも約４Ｌ、又は少なくとも約５Ｌ、又は少なくとも約６Ｌの容積を有してもよい。内容積部１９が、約１００Ｌ以下、又は約５０Ｌ以下、又は約１０Ｌ以下、又は約８Ｌ以下、又は約６Ｌ以下、又は約５Ｌ以下、又は約４Ｌ以下、又は約２Ｌ以下、又は約１Ｌ以下の容積を有してもよい。
【００２９】
図１に示すように、容器システムがタブ１００を有してもよい。タブ１００が、互いに離れて位置する２つの端部１１０、１１２を含んでもよい。タブが、自由端１１０及び固定端１１２を含んでもよい。固定端１１２が、容器５のリム１２の近くに配置されてもよい。自由端１１０は、リム１２から離れて、例えば、リム１２から半径方向に内側に延在する。タブ１００が、内容積部１９への入口１３及び／又は通路２５を部分的に閉塞してもよい。タブ１００が、タブ１００が中心軸２０に触れていない場合であっても、入口１３と概ね軸方向に位置合わせされてもよい。例えば、リム１２によって画定された形状は、中心軸２０に沿って軸方向に移動された（例えば、実質的に円筒を形成する）場合、タブ１００を遮る。
【００３０】
自由端１１０が、入口１３の実質的に中心に位置し得る中心軸２０に向かって延在してもよい。本明細書で使用される、基準点（又はその派生語）「に向かって延在する」という語句は、基準点の方向に、又は基準点を超えて延在することを意味する。したがって、自由端１１２が、中心軸の近くにあってもよく、又は中心軸２０にあってもよい。
【００３１】
タブ１００の固定端１１２が、容器５に取り付けられていてもよい。固定端１１２が、側壁１７の典型的には遠位端２３又はその近くに取り付けられていてもよい。図１には、容器５に接合された独立したユニットとして示されているが、本開示は、タブ１００が容器５の一体部分であってもよい（例えば、同じ部品の一部として成形される）ことを企図する。
【００３２】
図２は、代表的なタブ１００の上面図である。図３は、代表的なタブ１００の側面図を示す。タブ１００が、容器５及びカバー１０とは別個の部品であってもよい。
【００３３】
タブ１００が、上面１１４を有してもよい。容器システム１の一部である場合に、上面１１４は、カバー１０が閉位置にあるときにカバー１０に面してもよい。容器システム１の一部である場合に、上面１１４は、内容積部１９から離れる方向に面してもよい。容器システム１の一部である場合に、上面１１４は、底壁１４から離れる方向に面してもよい。以下により詳細に説明するように、上面１１４は、情報表示用のしるし１１６を有してもよい。
【００３４】
タブ１００が、上面１１４から離れる方向に面する底面１１５を有してもよい。容器システム１の一部である場合に、タブ１００の底面１１５が内容積部１９に面してもよい。
【００３５】
タブ１００の固定端１１２が、１つ以上の脚部１１７、１１８を含んでもよい。脚部１１７、１１８が、タブ１００の中心線１０２から離間していてもよい。各脚部１１７、１１８が、固定端１１２を容器５に接合可能とすることによって取り付けをより確実にするものと考えられる表面積を広げてもよい。
【００３６】
タブ１００が、自由端１１０の端部から固定端１１２の端までの距離として測定されるタブ長さ１１９を有してもよい。タブ長さ１１９が、約５０ｍｍ〜約１５０ｍｍ、又は約６０ｍｍ〜約１２０ｍｍ、又は約７０ｍｍ〜約１００ｍｍ、又は約７５ｍｍ〜約９０ｍｍであってもよい。
【００３７】
タブ１００が、自由端１１０の最も広い部分としてタブ長さ１１９に直交する方向に測定される自由端幅１２０を有してもよい。自由端幅１２０が、３０ｍｍ〜約１２０ｍｍ、又は約４０ｍｍ〜約１００ｍｍ、又は約５０ｍｍ〜約８０ｍｍ、又は約６０ｍｍ〜約７０ｍｍであってもよい。
【００３８】
タブ１００が、上面１１４から底面１１５までの平均キャリパとして測定される厚さ１２１を有してもよい。厚さ１２１が、約３ミル〜約１２ミル、又は約４ミル〜約１２ミル、又は約５ミル〜約１０ミル、又は約６ミル〜約８ミル、又は約７ミル（注：１．０ミル＝０．０２５４ｍｍ）であってもよい。厚さ１２１が、約０．０５０ｍｍ〜０．２５０ｍｍ、又は約０．０８０ｍｍ〜約０．２００ｍｍ、又は約０．１００ｍｍ〜約０．１９０ｍｍ、又は約０．１５０ｍｍ〜約１．８５ｍｍであってもよい。厚さ１２１は、ＡＳＴＭ  Ｄ６９８８に従って決定することができる。理論に束縛されるものではないが、薄すぎるタブ１００は、単位用量物品２００などの収容された内容物又は消費者の手を切断するおそれがあると考えられるため、特定の最小厚さ１２１が望ましいであろう。比較的厚いタブ１００は、消費者が内容積部１９内に保持された内容物にアクセスするために撓ませるのが困難であるおそれがあるため、望ましくないであろう。加えて又はあるいは、比較的厚いタブ１００は、撓ませる際に折れてしまい、静止位置１２８に戻ることができない場合がある。
【００３９】
図２に示されるように、タブ１００の自由端１１０が、約９０°以下の内角を有する角部を有さなくてもよい。鋭利な角部は、単位服用量パウチ２００などの内容物を穿刺してしまうか、又は消費者の手を傷つけることがあるため、望ましくないであろう。タブ１００の自由端１１０が、実質的に丸みを帯びていてもよい。
【００４０】
タブ１００を、任意の好適な材料で作製することができる。望ましい材料は、内容積部にアクセスする際に撓むのに十分な程度に可撓性であり、タブ１００の元の静止位置に戻るのに十分な弾力性を有する。好適な材料としては、ポリエチレンテレフタレート（ＰＥＴ）、ポリプロピレン、又はポリスチレンなどのプラスチック材料が挙げられる。紙などのセルロース系材料を使用することができるが、初期位置に適切に戻らない場合があり、及び／又は消費者の手を切断するおそれがあるため、好ましいものではない場合がある。
【００４１】
タブ１００が、材料ウェブから形成されてもよい。材料のウェブが、機械方向に形成されてもよく、機械方向に概ね整列された粒子又は繊維を有してもよい。材料ウェブが、機械方向に直交する横断方向によって特徴付けられてもよい。機械方向及び横断方向は、例えば、顕微鏡を使用して、当業者によって決定され得る。材料の種類に応じて、材料が、撓みに対して機械方向又は横断方向の一つに比較的強く、及び／又は抵抗性であってもよく、当業者であれば、材料が撓みに対してどの方向に相対的に強く、かつ／又は抵抗性であるかを理解するか又は判定することができるであろう。タブ１００は、タブ１００のタブ長さ１１９が材料ウェブの横断方向又は機械方向に実質的に平行になるように、好ましくは、材料がいずれの方向においても撓みに対してより強く、及び／又は抵抗性となるように、材料ウェブから切断されてもよい。理論に束縛されるものではないが、そのような方法でウェブを切断することは、過度の厚さを追加する必要なく、タブ１００に改善された剛性を付与し、それによって材料コストを節約し、及び／又は折り目がついてしまう可能性を低減する。
【００４２】
図４は、容器５及びタブ１００の上面図を示す。容器５は肩部２７を含む。肩部２７は、１つ以上の側壁１５、１６、１７、１８の遠位端２３から容器５の中心軸２０に向かって半径方向内向きに延在する。肩部２７の内側縁部が、リム１２を画定してもよい。リム１２が、前壁１５近くの前側リム縁部５５と、後壁１６近くの後側リム縁部５６と、左側壁１７近くの左側リム縁部５７と、右側壁１８近くの右側リム縁部５８と、を含んでもよい。タブ１００の上面１１４の上方から見たとき、タブ１００が、１つのリム縁部５７から延在し、残りのリム縁部５５、５６、５８のうちの１つ以上から離間しているように見えてもよい。例えば、タブ１００が、左側リム縁部５７から延在し、前側リム縁部５５、後側リム縁部５６及び右側リム縁部５８から離間しているように見えてもよい。この構成は、多くの消費者が図５に示されるように右手を容器の中に入れることができる（及び場合により、容器システム１を左手で把持することができる）ことによって、タブ１００との相互作用を最大化することができることから、好適であろう。タブ１００が、右側リム縁部５８から延在し、前側リム縁部５５、後側リム縁部５６及び左側リム縁部５７から離間しているように見えてもよい。タブ１００が、前側リム縁部５５から延在するが、他の部分５６、５７、５８からは延在しないように見えてもよい。タブ１００が、後側リム縁部５６から延在するが、他の部分５５、５７、５８からは延在しないように見えてもよい。
【００４３】
肩部２７が、内容積部１９から離れる方向に面する上面２８を有してもよい。肩部２７が、内容積部に向かう方向に面する内部表面２９（図４には図示せず）を有しでもよい。図４に示す例示的な実施形態では、タブ１００の固定端１１２は、肩部２７に、具体的には肩部２７の内面２９に取り付けられている。タブ１００が、接着剤１２６によって取り付けられていてもよい。
【００４４】
入口１３は、入口１３の平面内にある線に沿って測定された最大長さである主要寸法３０を有してもよく、１つ以上の側壁１７、１８と実質的に直交する。図４では、主要寸法３０は、左側壁１７付近のリム１２から右側壁１８付近のリム１２まで測定される。主要寸法３０は、７ｃｍ、又は約８ｃｍ〜約３０ｃｍ、又は約２５ｃｍ、又は約２０ｃｍ、又は約１５ｃｍ、又は約１２ｃｍ、又は約１０ｃｍであってもよい。
【００４５】
入口１３は、入口１３の平面内にある線に沿って測定された最大長さである副寸法３１を有してもよく、主要寸法３０と実質的に直交する。図４では、副寸法３１は、前壁１５付近のリム１２から後壁１６付近のリム１２まで測定される。副寸法３１は、７ｃｍ、又は約８ｃｍ〜約３０ｃｍ、又は約２５ｃｍ、又は約２０ｃｍ、又は約１５ｃｍ、又は約１２ｃｍ、又は約１０ｃｍであってもよい。
【００４６】
主要寸法３０及び副寸法３１は、例えば、入口１３が円の形状であるとき、同じ測定値であってもよい。例えば、入口１３は、約９ｃｍの直径を有する円の形状であってもよい。
【００４７】
リム１２は、表面積を有する形状であってもよい入口１３を画定してもよい。入口１３の形状の表面積は、５０ｃｍ２、又は約６０ｃｍ２〜約３００ｃｍ２、又は約２５０ｃｍ２、又は約２００ｃｍ２、又は約１５０ｃｍ２、又は約１００ｃｍ２であってもよい。消費者の手がそれをとおり抜けられるように、幾分大きい入口１３が好ましい場合がある。一方、消費者の手がカバー１０にわたって広がる必要があり得るため、効率的なカバー１０を提供することができるように、入口１３のサイズは限定されてもよく、これは、カバー１０がスクィーズアンドターン型である場合に特に関連し得る。
【００４８】
タブ１００の固定端１１２は、１つ以上の側壁１５、１６、１７、１８の近くにあってもよい。固定端部１１２は、タブ１００と消費者との相互作用を増加させると考えられる左側壁１７又は右側壁１８の位置の近くにあってもよい。
【００４９】
図４に示されるように、タブ１００は入口１３，の全体を閉塞することなく、リム１２の全体にわたって伸張することもない。入口の１００％未満を閉塞することにより、特定の利益がもたらされると考えられる。例えば、タブ１００とリム１２との間に空間があれば、消費者は容器５の内容積部１９を容易に調べることができ、内容物がどれだけ残っているか又はほとんど残っていないかを評価することができる。より小さい設置面積を有するタブ１００は、材料のコストを節約する。（リム１２の全体の周りの代わりに）単一の壁１７に隣接するリム１２の一部分付近に単一の取り付け点を有するタブ１００は、接着剤コストを節約することができ、入口１３全体にわたるフィルムと比較して破れたり裂けたりする可能性が低い。更に、比較的小さい設置面積を有するタブ１００は、繰り返される相互作用により消費者を苛立たせる可能性が低いと考えられる。実際には、タブ１００を、消費者が問題なく関わるのに十分な大きさであるが、消費者を煩わせるほど大きくしないようにすることが有利であり得、大きくし過ぎると、消費者がタブ１００を完全に除去するか、又は今後製品を購入しないようにさせる恐れがある。
【００５０】
図４に示され、上記のように、固定端１１２は、肩部２７に取り付けられ、実質的に視界から遮断され、一方、自由端１１０は、容器５の中心軸２０に向かって半径方向内側に延在する。タブ１００の一部分のみが上から見たときに視認可能であるため、タブ１００は、可視自由端長１２２によって特徴付けられてもよい。可視自由端長１２２は、リム１２から自由端１１０の遠位端まで測定される。効率のために、タブ１００の大部分が上から視認可能であることが望ましい。可視自由端長１２２は、タブ１００の長さ１１９の少なくとも５０％、又は少なくとも６０％、又は少なくとも７０％、又は少なくとも８０％であってもよい。可視自由端長１２２は、タブ１００の長さ１１９の９９％未満又は９５％未満であってもよい。
【００５１】
上から見たときの自由端１１０の可視部分の表面積はまた、当業者に既知の方法に従って決定することができる。
【００５２】
タブ１００の長さ１１９は、主要寸法３０と実質的に平行であってもよい。理論に束縛されるものではないが、この配向は、消費者のタブ１００との相互作用を増加させると考えられる。タブ１００のサイズ（又は少なくとも可視自由端長１２２）は、入口１３のサイズ及びその主要寸法３０を念頭に置いて選択されるべきである。可視自由端長１２２と主要寸法３０との比が大きすぎると、タブ１００は動作が困難になる、及び／又はその静止位置に戻らない場合がある。比が低すぎると、タブが相対的に小さすぎるため、消費者がタブ１００と十分に相互作用しない場合がある。可視自由端長１２２は、入口１３の主要寸法３０の最大約７５％、又は最大約５０％、又は最大約４０％であってもよい。可視自由端長１２２は、主要寸法３０の少なくとも１０％、又は少なくとも２０％、又は少なくとも３０％、又は少なくとも４０％であってもよい。
【００５３】
あまり好ましくないが、タブ１００の長さ１１９は、副寸法３１と実質的に平行であってもよい。可視自由端長１２２は、入口１３の副寸法３１の最大約７５％、又は最大約５０％、又は最大約４０％であってもよい。可視自由端長１２２は、副寸法３１の少なくとも１０％、又は少なくとも２０％、又は少なくとも３０％、又は少なくとも４０％であってもよい。
【００５４】
自由端１１０の可視部分の表面積は、入口１３の形状の表面積の少なくとも約１０％、又は少なくとも約２０％、又は少なくとも約３０％、又は少なくとも約４０％であってもよい。自由端１１０の可視部分の表面積は、入口１３の形状の表面積の最大約７０％、又は最大約６０％、又は最大約５０％であってもよい。理論に束縛されるものではないが、ユーザーがタブ１００と意味のある一貫した様式で相互作用するほど十分であるが、煩わしかったり、内容積部１９が物理的にも視覚的にもアクセスすることが困難になるほどにはしないように、入口を覆うことが望ましいと考えられる。
【００５５】
上から見たとき、タブ１００はリム１２の一部に隣接していてもよい。タブ１００に隣接するリム１２の長さは、１つの側壁１７のみに近くてもよい。タブ１００に隣接するリム１２の長さは、リム１２の内周（例えば、入口１３の外周）の２％超、３０％未満、又は２５％未満、又は２０％未満、又は１５％未満であってもよい。換言すれば、タブは、容器の片側のみから内側に延在してもよい。
【００５６】
タブ１００の自由端１１０は、タブ１００の中心線１０２から離れて配置される側縁部１２３、１２４（例えば、タブ長さ１１９）を含んでもよい。一方の側縁部１２３から他方の側縁部１２４までの最短の線は、入口１３の副寸法３１と実質的に平行であってもよい。
【００５７】
側縁部１２３、１２４は、リム１２から距離１２５だけ離間していてもよい。側縁部１２３とリム１２の最も近い部分との間の距離１２５は、副寸法３１の約１％，又は約５％〜約２５％であり得る。
【００５８】
連通を向上させる構造体であることに加えて、本開示のタブ１００はまた、容器システムがひっくり返った又は落下したときのこぼれを最小限に抑えるうえで有用であり得る。より具体的には、タブ１００が入口１３及び／又は通路２５を部分的に塞ぐため、タブ１００は、偶発的にこぼれた場合にパッケージ内の内容物を保持するのに役立ち得る。このような利点を最大化するために、側縁部１２３とリム１２の最も近い部分との間の距離１２５を、容器の内容物の最小寸法に関連付けることが望ましい場合がある。距離１２５が、例えば、内容物の最小寸法（平均）と同じ桁の大きさ、約同じ、又は更には相対的に小さい場合、偶発的なひっくり返り又は落下中にこぼれる内容物の量が少なくなると考えられる。側縁部１２３とリム１２の最も近い部分との間の距離１２５、例えば、前リム縁部５５及び／又は後リム縁部５６であり得る最も近いリム縁部との間の距離は、容器５の内容物の最小寸法（平均）の約１５０％以下、又は約１２５％以下、又は約１１０％以下、又は約１００％以下、又は約９０％以下、又は約７５％以下である。例えば、容器５に収容される単位用量物品２００の最小寸法が約３ｃｍである場合、距離１２５は約４．５ｃｍ以下であってもよく、距離１２５は３ｃｍ以下であることが好ましい場合がある。
【００５９】
図５は、使用中の容器５及びタブ１００の切り欠き側面図を示す。タブ１００の固定端１１２は、容器５の肩部２７の内部表面２９に取り付けられる。図５に示すように、タブ１００は接着剤１２６によって取り付けられる。容器５は複数の単位用量物品２００を保持する。
【００６０】
最初に、タブ１００の自由端１１０は、図５に点線で示される静止位置１２８にある。静止位置１２８において、タブ１００は、入口１３の平面２６及び／又は底壁１４に対して実質的に平行である。静止位置１２８では、タブ１００は、単位用量物品２００から離れて（例えば、上に）懸架される。タブ１００と容器５の内容物との間に空間を残すことにより、輸送及び保管中の接触を最小限に抑えることができ、それによって内容物の潜在的な損傷を最小限に抑えることができる。
【００６１】
物品２００にアクセスするために、ユーザーは、入口１３を通って容器５の内容積部１９内に手１２７を伸ばす。そうすることで、手１２７はタブ１００の自由端１１０と接触し、撓ませ力を発揮する。接触の力は、自由端１１０を容器５の内容積部内に下向きに、撓んだ位置１２９へと撓ませる。手１２７は、１つ以上の単位用量物品２００を掴み、内容積部１９から回収する。手１２７が自由端１１０ともはや接触しておらず、したがって撓ませ力をもはや付与しないとき、自由端１１０はその静止位置１２８に戻る。
【００６２】
タブ１００の長さ１１９は、撓んだ位置にあるときに底壁１４に接触しないように選択されてもよい。例えば、タブの自由端１１０は、内容積部１９の平均高さ３２未満の長さを有してもよい。
【００６３】
タブ１００は、圧力封止、ヒートシール、接着剤、溶接、機械的接合、又はこれらの組み合わせなどの任意の好適な方法で容器５に接合されてもよい。図５に示すように、タブ１００は、接着剤１２６によって容器５の固定端１１２で肩部２７に接合される。接着剤１２６は、タブ１００を消費者によって容易に取り外すことができず、それを効果的に恒久的に取り付けるように選択されてもよい。あるいは、接着剤１２６は、タブ１００を消費者によって容易に取り外すことができるように選択されてもよく、タブ１００を所定の位置に維持する、又はそうでないようにする選択肢を消費者に効果的に与えることができる。好適な接着剤としては、恒久的接着剤、ポリマー系接着剤、感圧接着剤、又はこれらの組み合わせ、好ましくは感圧性接着剤が挙げられる。
【００６４】
タブ１００は、容器５又はその一部（例えば、以下に記載されるようなシュラウド７又は７ａ）と一体的に形成されてもよい。単一部品としてタブ１００と組み合わせて容器５（又はシュラウド７、７ａ）を形成することは、接合工程が必要とされないため、製造の複雑さを低減することができる。一方、このような構成は成形するのが困難であり得、したがってより好ましくない場合がある。図６は、容器システム１ａを示し、容器システム１ａは容器５ａを含み、容器５ａは容器本体６ａ及びシュラウド７ａを備える。タブ１００ａ及びシュラウド７ａは単一部品として形成され、例えば単一部品（例えば、同じ部品）として成形される。タブ１００ａは、シュラウド７ａから容器本体６ａの前壁１５ａの近くに延在する。タブ１００ａは、後壁１５ａ又は側壁１７ａ、１８ａから延在してもよい。容器システム５ａはまた、カバー１０ａを含む。カバー１０ａ、シュラウド７ａ及びタブ１００ａは、単一部品として成形されてもよい。
【００６５】
容器５は、容器システム１を、内容物の一部を運搬、開封、及び／又は除去する際により容易に把持することができるハンドル構造体を含んでもよい。
【００６６】
図７は、本開示による別の容器システム２の分解図を示す。容器システム２は、カバー１１と、２つの部分の容器６と、シュラウド７と、容器本体８と、を含む。シュラウド７は、容器本体８に接続可能である。カバー１１は、選択的に除去可能であり、シュラウド７上にスナップ嵌め又は捻りすることができる。
【００６７】
容器本体８は、本体リム３６、及び内容積部３４によって画定され得る本体入口３３を含む。シュラウド７は、本体入口３３の上に嵌合し、本体入口３３と実質的に整列している囲いシュラウド入口３５を含み、通路２５を形成し、内容積部３４への流体連通を可能にする。シュラウド７が容器６を形成するように容器本体８に接続されると、囲いシュラウド入口３５は容器６の入口１３として働く。
【００６８】
タブ１００は、シュラウド７と容器本体８との間に嵌合するように寸法決め及び構成されている。タブ１００は、容器システム２が組み立てられたときにタブ１００の固定端１１２がシュラウド７及び容器本体８と接触するように配置されてもよい。固定端１１２は、シュラウド３８の底面と容器本体８の本体リム３６との間に接触するか、又は更に挟まれ締め付けられてもよい。そのような構成は、タブ１００を定位置にしっかりと保持するのに役立つことができる。
【００６９】
タブの自由端１１０は、容器６の中心軸２０に向かって延在し、容器システム２が組み立てられた形態にあるとき、通路２５を内容積部３４に部分的に閉塞する。上述したように、タブの自由端１１０は、例えば手１２７が容器システム２の内容物にアクセスするように到達したときに、内容積部３４に向かって撓ませ力によって撓ませられてもよい。
【００７０】
図８は、組み立てられたシュラウド７、カバー１１、及びタブ１００の底面斜視図を示す。図示のように、カバー１１はシュラウド７上の閉鎖位置に設けられている。
【００７１】
図８に示されるように、タブ１００の自由端１１０はシュラウド７のリム３７を越えて延在し、囲いシュラウド入口３５を部分的に閉塞する。タブ１００の固定端１１２は、例えば接着剤１２６によってシュラウド７の底面３８に取り付けられる。
【００７２】
ダスター７は、１つ以上の突起部３９、４０を含んでもよい。シュラウド７は、容器本体８上の相補的特徴部４２に接続することができるスナップビード又はねじ切りなどの１つ以上の連結機構４１を含んでもよい。
【００７３】
タブ１００の固定端１１２は、タブ１００の中心線１０２から離れて延在する脚部１１７、１１８を含んでもよい。図８に示されるように、脚部１１７、１１８は、シュラウド７の突起部３９、４０の隣に位置するように寸法決め及び構成される。突起部３９、４０は、シュラウド７が容器本体８に接続されているとき、シュラウド７の底面３８から離れて、及び／又は内容積部３４に向かって延在する。突起部３９、４０は、タブ１００の固定端１１２の隣に位置してもよい。突起部３９、４０は、タブ１００の固定端１１２を固定するのに役立つことができる。例えば、突起部３９、４０は、反復使用時又はユーザーによる引っぱり／除去の試みの際に、固定端１１２が中心軸２０に向かって半径方向内側に移動することを阻止してもよい。固定端１１２は、突起部３９、４０の間に少なくとも部分的に配置されてもよく、これはタブ１００を中心にすること、及び／又は自由端１１０と入口１３との整列を容易にすることができる。図８に示されるように、突起部３９、４０は、固定端１１２の少なくとも一部の半径方向内側に、好ましくはタブ１００の固定端１１２の脚部１１７、１１８に位置してもよい。
【００７４】
図示されていないが、脚部１１７、１１８は、突起部と比較して半径方向内側にあってもよい。このような設計は、脚部１１７，１１８が突起部３９、４０の後ろにたくし込まれる必要がないため、組み立てが比較的容易であり得、代わりに、固定端１１２を定位置に摺動させてもよい。固定端１１２は、突起部３９、４０の間に位置し得る、及び／又は脚部１１７、１１８が中心線１０２から離れて延在する場所から半径方向に離れて延在する尾部１５０（図８には図示せず）を含んでもよく、これはタブ１００を適切に整列及び／又は固定するのに役立ち得る。
【００７５】
図示されていないが、固定端１１２は、例えばタブ１００の確実な固定を容易にするために、１つ以上の突起部１１７、１１８を受容するように構成された１つ以上のスロットを含んでもよい。
【００７６】
図９は、本開示による別の例示的なタブ１０１を示す。タブ１０１の固定端１１２は、中心線１０２から離れて延在する脚部１１７、１１８を含む。タブ１０１はネック１３０を含み、ネックは固定端１１２と自由端１１０とを接続し、固定端と自由端との間に配置されてもよい。ネック１３０は、自由端幅１２０よりも比較的小さい幅１３１を有してもよい。そのような構成は、材料のより効率的な使用をもたらし得るが、それは、ユーザーにとって一般的に見えない領域を横断するネックには、より少ない材料が使用され得るからである。
【００７７】
ネック１３０は、ミシン目線及び／又は穿孔などの脆弱線１３２を含んでもよく、この脆弱線及び／又は穿孔は、このような選択肢がそのように所望される場合には、ユーザーによって自由端１１０の取り外しを容易にし得る。脆弱線１３２はまた、自由端１１０を撓ませやすくすることができる。
【００７８】
タブ１００は、情報表示用のしるし１１６を含んでもよい。情報表示用のしるし１１６は、好ましくは自由端１１０にてタブ１００の上面１１４上に配置されてもよい。そのような場所は、例えば、内容物がユーザーによってアクセスされるときに、容器システムの通常の使用時の情報表示用のしるし１１６の視認性を高める。
【００７９】
情報表示用のしるし１１６は、指示表示用しるし１４０、安全用のしるし１４１、ブランディング又はマーケティング用のしるし１４２、又はこれらの組み合わせを含んでもよい。情報表示用のしるし１１６は、テキスト、図形、記号、又はこれらの組み合わせの形態をとることができる。
【００８０】
情報表示用のしるし１１６は、指示表示用のしるし１４０を含んでもよい。指示表示用のしるし１４０は、容器システム１に収容された内容物の使用方法に関する指示を含んでもよい。指示表示用のしるし１４０は、例えば、洗濯負荷サイズ又は汚れレベルを、組成物の推奨される用量に相関させる指示などの投入指示を含んでもよい。例えば、図９の情報表示用のしるし１１６は、１つの単位用量物品を含む第１の投与量サイズに関連付けられている第１の負荷サイズを表示する第１の洗濯機と、２つの単位用量物品を含む第２の投入量サイズと関連付けられている第１の負荷サイズよりも大きい第２の負荷サイズを表示する第２の洗濯機とを示す。
【００８１】
情報表示用のしるし１１６は安全用のしるし１４１を含んでもよい。安全用のしるし１４１は、その中に収容された組成物に関連し得る。安全用のしるし１４１は、容器システムに関連してもよく、例えば、安全用のしるし１４１は、使用し終えたときに容器システムを再閉鎖するためのリマインダを含んでもよい。
【００８２】
情報表示用のしるし１１６は、ブランディング又はマーケティング用のしるし１４２を含んでもよい。ブランディング又はマーケティング用のしるし１４２は、含有製品のブランド名及び／又はブランドロゴを含んでもよい。ブランディング又はマーケティング用のしるし１４２は、値引き又は次のセールなどの販売促進の提供に関連し得る。ブランディング又はマーケティング用のしるし１４２は、製造業者からの追加製品に関連してもよく、新たに発売された製品及び／又は含有製品と組み合わせて使用されることが意図される製品を含む。例えば、含有製品が洗濯洗剤組成物である場合、情報表示用のしるし１１６は、前処理製品（例えば、前処理洗濯用添加剤製品（例えば、香り増進剤及び／又は漂白添加剤）、リンス添加製品（例えば、布地柔軟剤）、及び／又は乾燥プロセスで使用するように意図された製品（例えば、乾燥機用シート）に関連し得る。
【００８３】
情報表示用のしるし１１６は、図形を含んでもよい。図形は、容器システムの内容物の図形表現を含んでもよい。例えば、容器システムが容器５の内容積部１９内に単位用量物品２００を含む場合、タブ１００は、１つ以上の単位用量物品の図形表現を含む情報表示用のしるし１１６を含んでもよい。
【００８４】
図１０及び図１１は、本開示による追加の例示的なタブ１０３、１０４を示す。図１０は、固定端１１２よりも幅の広い円形自由端１１０を有するタブ１０３を示す。タブ１０３は脚部を有さない。図１１は、円形自由端１１０に接続するネック１３０を含む固定端１１２を有するタブ１０４を示す。固定端１１２はまた、脚部１１７、１１８と、脚部１１７、１１８が延在する場所から半径方向に離れて延在する尾部１５０を含む。尾部１５０は、タブ１０４が設置位置にあるときに突起部３９、４０の間に位置するようにサイズ決め及び構成され得、それによって整列及び／又は安定性を助ける。脚部１１７、１１８は、タブ１０４が設置位置にあるときに突起部３９、４０の半径方向内側にあってもよく、それによって整列及び／又は安定性を助ける。脚部１１７，１１８は、実質的に円形であってもよい入口１３の形状の縁部に適合するように成形されてもよい。
【００８５】
内容量
容器システム１は、容器５の内容積部１９内に任意の好適な材料又は組成物を更に含んでもよい。例えば、容器システム１は、家庭用ケア組成物を含んでもよい。容器システム１００は、水溶性フィルムが少なくとも１つの区画内に組成物を封入する、単位用量物品２００を含んでもよい。少なくとも１つの区画中の組成物は、液体を含んでもよい。好適な材料及び組成物について、以下により詳細に説明する。
【００８６】
典型的な材料及び組成物としては、布地ケア組成物、硬質表面洗浄剤、石鹸、シャンプー、コンディショニング剤、殺虫剤、塗料、溶媒、工業用化学物質、工業用ハードウェア（例えば、釘、ねじなど）、薬剤、ピル、食品などが挙げられるが、これらに限定されない。材料は、水感受性材料であってもよく、これは、材料が、液体水又は水蒸気に曝されたときに溶解又は分解する傾向を有することを意味する。材料は、消費者製品、好ましくは家庭用ケア製品、好ましくは洗浄組成物、より好ましくは、単位用量物品の形態の洗浄組成物であってもよい。
【００８７】
有用な組成物の非限定的な例には、軽質及び硬質液体洗剤組成物、硬質表面洗浄用組成物（自動食器洗い機での使用が意図される組成物を含む食器ケア組成物等）、洗濯に広く使用されている洗剤ジェル、漂白及び洗濯用添加剤、シャンプー、ボディソープ、並びに他のパーソナルケア組成物が挙げられる。組成物は、液体、ゲル、固体、単位用量物品、又はこれらの混合物の形態をとることができる。液体組成物は、固体を含んでいてもよい。固体は、マイクロカプセル、ビーズ、ヌードル、若しくは１つ以上の真珠色のボール、又はこれらの混合物などの、粉末又は凝集物を含み得る。このような固体要素は、洗浄を通して、又は前処理、遅延、若しくは順次放出成分として技術的利点をもたらし得る。追加的又は代替的に、固体要素は、審美的効果を提供することが可能である。
【００８８】
組成物は、以下の成分の非限定的リストのうちの１つ以上を含み得る：乳白剤、酸化防止剤、布地ケア有益剤、洗浄性酵素、沈着助剤、レオロジー変性剤、ビルダー、漂白剤（bleaching agent）、漂白剤前駆体、漂白触媒、キレート剤香料；白色剤、パールエッセンス剤酵素安定剤系、アニオン性染料の固着剤を含む除去剤、アニオン性界面活性剤の錯化剤、及びこれらの混合物、任意の漂白剤又は蛍光剤、汚れ放出ポリマー分散剤、抑泡剤染料、着色剤；トルエンスルホネート、キュメンスルホネート、及びナフタレンスルホネートなどのヒドロトロープ、カラー粒子、着色ビーズ、球体、又は押出物、粘土柔軟化剤、腐食防止剤及び／又は抗変色剤；すすぎ洗い補助剤。追加的に又は代替的に、組成物は、界面活性剤（アニオン性、非イオン性、及び／又は双極性界面活性剤を含む）及び／又は溶媒系を含んでもよい。
【００８９】
組成物は、流動性の粒状又は粉末状の組成物などの、すくうことができる流動性組成物であってもよい。そのような場合、容器システム１は、容器システム１に適合し、かつ、すくうことが可能な組成物をすくうように適合されたスコップを更に備えてもよい。このような組成物は、粒状洗剤又は粉砕コーヒーを含んでもよい。
【００９０】
本明細書に記載される容器システム１は、単位用量物品２００の形態で組成物を収容するのに特に有用である。
【００９１】
典型的には、本明細書に記載される容器システム１は、組成物、典型的には洗浄組成物、より典型的には洗濯洗剤又は硬質表面処理組成物の単位用量の物品２００を（例えば、１５個、２５個、５０個、６６個、７７個等）含有するのに有用である。単位用量物品２００は、単一区画を含んでもよいパウチであってもよい。
【００９２】
図１２に示されるように、単位化用量物品２０１は、複数の区画２３０、２４０、２５０を含んでもよい。区画は、並んでいてもよく、又は重なり合ってもよく、例えば、１つ又は２つのより小さい区画２４０、２５０が１つのより大きい区画２３０に重ねて置かれてもよい。
【００９３】
多区画物品２０１は、それぞれ個々の区画２３０、２４０、２５０に同じ又は異なる組成物を収容することができる。物品２０１は、パウチの外部から視認可能な多様な色を有し得る様々な組成物を収容してもよい。多区画２３０、２４０、２５０は、共存できない成分（例えば、漂白剤及び酵素）を含む組成物を互いから物理的に分離して又は仕切って保持するために使用することができる。このような仕切りは、このような成分の耐用年数を延ばし、及び／又は物理的不安定性を低減できると考えられる。
【００９４】
物品２００、２０１は、ＭｏｎｏＳｏｌ，ＬＬＣから入手可能なもの（例えば、Ｍ８６３０フィルム）を含むポリビニルアルコールフィルムなどの水溶性フィルム２２０から形成されてもよい。フィルム２２０は、組成物を封入する区画２３０、２４０、２５０を形成してもよい。
【００９５】
単位用量物品２００、２０１の組成物は、典型的には、特に水溶性フィルム２２０を含む場合、水の濃度が低い。いくつかの態様では、区画２３０、２４０、２５０に含有される組成物は、組成物の約５０重量％未満、又は約３０重量％未満、又は約２０重量％未満、又は約１５重量％未満、又は約１２重量％未満、又は約１０重量％未満、又は約８重量％未満、又は５重量％未満、又は２重量％未満の水を含んでもよい。いくつかの態様において、本組成物は、本組成物重量に対して、約０．１重量％〜約２０重量％、又は約１重量％〜約１２重量％、又は約５重量％〜約１０重量％の水を含む。
【００９６】
物品２００、２０１は、成人の人の手で把持するのに好適であり得る。このような物品２００、２０１は、約１０ｍｍ〜約１００ｍｍ、又は約２０ｍｍ〜約７０ｍｍ、又は約３５ｍｍ〜約５５ｍｍ、又は約４０ｍｍ〜約５０ｍｍの物品幅２０２を有し得る。物品２００、２０１が矩形の形状である場合、物品幅２０２は、２つの平行な辺の間の最大距離として測定される。物品２００、２０１が可変幅を有する場合、物品幅２０２はそのような幅の平均である。このような物品２００、２０１は、約１０ｍｍ〜約１００ｍｍ、又は約１５ｍｍ〜約７０ｍｍ、又は約２０ｍｍ〜約５０ｍｍ、又は約２５ｍｍ〜約３５ｍｍの高さ２０３を有し得る。物品２００、２０１が可変高さを有するとき、物品高さ２０３は物品２００、２０１の最大高さで測定される。このような物品幅２０２及び物品高さ２０３の測定は、例えば２つ以上のフィルム２２０が接合される場合に区画２３０、２４０、２５０の外側の周囲に存在し得るスカート２２１を含まない。
【００９７】
容器システムを作製するプロセス
本開示は、容器システムを作製するプロセスに関する。このプロセスは、容器５を提供してタブ１００を容器１００に取り付ける工程を含んでもよく、タブ１００は容器の入口及び／又は容器５の内容積部１９へのアクセスを提供する通路を部分的に閉塞する。このプロセスは更に、容器５を封止する工程を含むことができる。
【００９８】
容器６は、シュラウド７と容器本体８とを有することができる。このプロセスは、タブ１００をシュラウド７に取り付ける工程を含んでもよい。このプロセスは、シュラウド７を容器本体８に接続することを含んでもよい。シュラウド７は、既に接続されたカバー１１、好ましくは閉位置に接続されたカバーを備えてもよい。
【００９９】
プロセスは、接着剤１２６をタブ１００に、容器５に、又はそれらを接合する前の両方に塗布することを含んでもよい。容器６がシュラウド７及び容器本体８を含む場合、プロセスは、それらを接合する前に、タブ１００に、シュラウド７に、及び／又は容器本体８に、好ましくはタブ１００及び／又はシュラウド７に接着剤１２６を塗布することを含んでもよい。タブ１００は、シュラウド７が容器本体８に接続される前にシュラウド７に取り付けられてもよい。追加的に又は代替的に、タブ１００を取り付けるプロセスは、熱及び／又は圧力、好ましくは少なくとも圧力を印加することを含んでもよい。
【０１００】
プロセスは、単位用量物品２００などの内容物を容器５の内容積部１９に提供する工程（例えば、充填工程）を含んでもよい。プロセスは、単位用量物品２００などの内容物を容器本体８に提供することを含んでもよい。タブ１００が既に取り付けられているシュラウド７は、そのような内容物が提供された後（例えば、充填工程後）、容器本体８に接続されてもよい。本体入口３３がシュラウド入口３５よりも相対的に大きくなり得、充填作業を相対的に容易にするため、このような操作順序を実行することが有用であり得る。シュラウド７が容器本体８に接続される前にタブ１００をシュラウド７に取り付けることも比較的容易であり得る。これは、取り付けられていないとき、シュラウド７はより操作が容易であり、及び／又はシュラウド７の底面３８にアクセスすることがより容易であり得るからである。更に、記載された操作順序により、容器本体８は、通路２５を内容積部３４に閉塞するよう意図的に配置されるタブ１００からの干渉なしに充填されることを可能にする。充填工程の前にタブ１００を定位置に置くことにより、タブ１００が撓んだ位置１２９内に捕捉され、及び／又は静止位置１２８に戻る能力に悪影響を及ぼす可能性がある。
【０１０１】
容器システムの使用プロセス
本開示は、容器システムを使用するためのプロセスに関する。プロセスは、本開示による容器システム５、６を提供する工程を含み得る。容器システム５、６は、内容積部１９、３４内の単位用量物品２００などの内容物を含んでもよい。
【０１０２】
プロセスは、カバー１０、１１を開放位置に移動させる工程を含んでもよい。プロセスは、例えば、手１２７で内容積部１９、３４にアクセスすることと、タブ１００の自由端１１０を静止位置１２８から撓んだ位置１２９に撓ませること、例えば、タブ１００の上面１１４に撓ませ力を加えることによって、撓んだ位置に撓ませること、を含んでもよい。プロセスは、内容積部１９、３４から１つ以上の単位用量物品２００などの内容物を除去することを含んでもよい。プロセスは、カバー１０、１１を閉位置に移動させることを含んでもよい。
【０１０３】
方法は、１つ以上の単位用量物品２００などの内容物を意図された様式で使用することを含んでもよい。例えば、単位用量物品２００は、水と組み合わされ、及び／又は水に溶解されてもよい。単位用量物品２００は、水中で破裂、分散、及び／又は溶解することができ、それによって水中で組成物を放出して処理液を形成してもよい。
【０１０４】
方法は、処理プロセスにおいて、処理される表面、例えば布地又は硬質表面を処理液と接触させる工程を含んでもよい。処理プロセスは、自動洗濯機又は自動食器洗浄機などの自動洗濯機で行われてもよい。
【０１０５】
組み合わせ
本開示の具体的に想到される組み合わせを、ここで以下のアルファベットを付した段落に記載する。これらの組み合わせは、事実上例示的なものであり、制限的であることを意図したものではない。
Ａ．容器と、選択的に開放可能なカバーと、を備える容器システムであって、容器は、底壁と、底壁から離れて延在する１つ以上の側壁とを備え、底壁及び１つ以上の側壁は、容器の内容積部を画定し、容器は、内容積部へのアクセスを提供する通路への入口を画定するリムを更に備え、容器は、入口又は通路を部分的に閉塞するタブを更に備え、タブは、静止位置へと付勢された自由端を含み、自由端は、内容積部内へと撓むことが可能である、容器システム。
Ｂ．容器と、選択的に開放可能なカバーと、を備える容器システムであって、容器は、底壁と、底壁から離れて延在する１つ以上の側壁とを備え、底壁及び１つ以上の側壁は、容器の内容積部を画定し、容器は、内容積部へのアクセスを提供する通路への入口を画定するリムを更に備え、リムは中心軸を取り囲み、容器がタブを更に備え、タブは、入口と実質的に軸方向に位置合わせされ、任意に入口から軸方向に離れている静止位置に付勢された自由端を含み、自由端は、内容積部内へと撓むことが可能である、容器システム。
Ｃ．タブが、プラスチック、好適にはポリエチレンテレフタレート（ＰＥＴ）、ポリプロピレン、又はポリスチレンを含む材料、より好ましくはＰＥＴから作製される、段落Ａ〜Ｂのいずれかに記載の容器システム。
Ｄ．タブが、入口の主要寸法に対して実質的に平行な長さを有する、段落Ａ〜Ｃのいずれかに記載の容器システム。
Ｅ．タブが、入口の主要寸法の最大約７５％である可視自由端長を含む、段落Ａ〜Ｄのいずれかに記載の容器システム。
Ｆ．タブが、１つの側壁のみに近いリムの一部分に隣接している、段落Ａ〜Ｅのいずれかに記載の容器システム。
Ｇ．タブに隣接するリムの部分が、リムの内周の約３０％未満の長さを有する、段落Ａ〜Ｆのいずれかに記載の容器システム。
Ｈ．入口が表面積を有する形状を画定し、タブが、容器の内容積部から離れる方向に面する上面を有し、上面の上方から見たときのタブの自由端の可視部分もまた表面積を有し、自由端の可視部分の表面積が、入口によって画定される形状の表面積の約５０％未満である、段落Ａ〜Ｇのいずれかに記載の容器システム。
Ｉ．内容積部が平均高さを有し、タブの自由端が、内容積部の平均高さよりも小さい長さを有する、段落Ａ〜Ｈのいずれかに記載の容器システム。
Ｊ．タブが、容器の内容積部から離れる方向に面する上面を備え、上面が、情報表示用のしるし、好ましくは指示表示用のしるし、安全用のしるし、ブランディングド若しくはマーケティング用のしるし、又はこれらの組み合わせを含む、段落Ａ〜Ｉのいずれかに記載の容器システム。
Ｋ．情報表示用のしるしが、指示表示用のしるし、好ましくは容器システムの内容物を投与することに関連する指示表示用のしるしを含む、段落Ａ〜Ｊのいずれかに記載の容器システム。
Ｌ．容器が、容器本体と、容器本体に接続可能なシュラウドとを備える、段落Ａ〜Ｋのいずれかに記載の容器システム。
Ｍ．タブが、シュラウドに取り付けられ、好ましくはタブが、シュラウドと共に単一部品として成形される、段落Ａ〜Ｌのいずれかに記載の容器システム。
Ｍ２．タブ及び容器又はその一部、好ましくはシュラウドが、単一の部品として形成される、段落Ａ〜Ｍのいずれかに記載の容器システム。
Ｍ３．タブが、容器又はその一部、好ましくはシュラウドに接着剤で取り付けられる、段落Ａ〜Ｍのいずれかに記載の容器システム。
Ｎ．容器又はシュラウドが、底面、好ましくはシュラウドの底面から離れて延在する突起部を含み、突起部が、タブの固定端の隣にある、段落Ａ〜Ｍのいずれかに記載の容器システム。
Ｏ．タブが、シュラウドと容器本体との間に挟まれ締め付けられている、段落Ａ〜Ｎのいずれかに記載の容器システム。
Ｐ．内容積部が、複数の単位用量物品を含み、好ましくは、各物品は、水溶性フィルムに封入された組成物、好ましくは家庭用ケア組成物を含む、段落Ａ〜Ｏのいずれかに記載の容器システム。
Ｑ．内容積部が複数の単位用量物品を含み、物品は平均最小寸法によって特徴付けられ、タブがリム縁部から離間した側縁部を備える、タブの側縁部とリム縁部との間の距離が、平均最小寸法の約１５０％以下、好ましくは約１２５％以下、好ましくは約１００％以下である段落Ａ〜Ｐのいずれかに記載の容器システム。
Ｒ．段落Ａ〜Ｑのいずれかに記載の容器システムなどの容器システムを製造するプロセスであって、容器を提供する工程であって、容器は、容器の内容積部への通路へのアクセスを提供する入口を有する、工程と、タブを入口及び／又は通路を部分的に閉塞するように、容器に取り付ける工程と、を含むプロセス。
Ｓ．容器が、容器本体と、容器本体に接続可能なシュラウドとを備え、容器本体が内容積部を備える、パラグラフＲに記載のプロセス。
Ｔ．タブがシュラウドに取り付けられている、段落Ｓに記載のプロセス。
Ｕ．プロセスが、内容物が内容積部に提供される充填工程を更に含む、段落Ｒ〜Ｔのいずれかに記載のプロセス。
Ｖ．プロセスが、充填工程後にシュラウドを容器本体に接続することを更に含む、段落Ｒ〜Ｕのいずれかに記載のプロセス。
【実施例】
【０１０６】
下記の例は、事実上例示的なものであり、制限的であることを意図したものではない。
【０１０７】
実施例１．曲げ抵抗試験
曲げ抵抗を試験するために、様々な厚さの様々な材料から同一サイズのストリップを切断した。２．５インチ×０．５インチ（６．３５ｃｍ×１．２７ｃｍ）サイズの２つのストリップを、材料のシートから切断し、最長寸法が機械方向（ＭＤ）と平行になるように１つのストリップを切断し、最長寸法がシートの横断方向（ＸＤ）と平行になるようにもう１つのストリップを切断した。固定端に保持し、ストリップを約９０°曲げて、自由端の先端を質量はかりに載せた。質量読み取り値（グラム単位）を、ストリップを曲げるのに必要な力の量の代用物として記録した。結果を下の表１に示す。
【０１０８】
【表１】
2019167162.tif 000002
【０１０９】
実施例２．構造体の厚さ
メッセージング構造体の好ましい厚さを決定するために、３６人の消費者を様々な容器に露出させた。各容器は、異なる厚さ（３ミル、５ミル、７ミル、１２ミル）を有するメッセージング構造体を含む。各メッセージング構造体はＰＥＴで作製され、実質的に円形の自由端を含む同一の形状のものであった。容器が単項様式で提示された後、消費者は、最も好まれた（１）から少なくとも好まれた（４）までメッセージング構造体をランク付けするように依頼された。各厚さの平均ランクを以下の表２に示す。
【０１１０】
【表２】
2019167162.tif 000003
【０１１１】
表２に示すように、７ミルの厚さを有する構造体は、上位平均ランクを達成した。５ミルの厚さを有する構造体はその次であった。
【０１１２】
実施例１及び２で実行された試験に基づいて、ＰＥＴから作製され、３ミル超、１２ミル未満、又は約４〜約９ミル、又は約５〜約７ミルの厚さを有する構造体が好ましいと判定された。
【０１１３】
実施例３．好ましい合図
どの種類のメッセージング構造体又は合図が消費者から最良の応答をもたらしたかを試験するために、６６人の消費者パネリストのグループに、様々な容器が提供された。容器はそれぞれ、異なるメッセージング合図上に提供される投入指示を含んでいた。各合図に関して、投入指示／イメージは一定に保たれ、２つの単回用量洗濯物品又は「ペーシング」（例えば、ＴＩＤＥ  ＰＯＤ（商標））が、洗濯物の「大」負荷（縦型機の９ｌｂｓ［４．１ｋｇ］、ドラム式機の１１ｌｂｓ［５．０ｋｇ］）に好適であったことを示した。各メッセージング合図に対するキーを、以下の表３に提供する。
【０１１４】
パネリストは、彼らが家庭で使用している洗濯機と同じタイプである洗濯機（縦型又はドラム式）と一致させ、対応する洗濯の「大」負荷で提示された。パネリストに、メッセージング合図Ａ〜Ｅのうちの１つを有する容器をランダム順序で提示し、洗濯の負荷を開始するよう求めた。６６人のパネリストのうち、３９人は、メッセージング合図のうちの少なくとも１つに明確に気付き、例えば、口頭のコメント及び／又は合図及びその情報内容のより綿密な検査によって証明され、２７人は、メッセージング合図のいずれにも明確に気付かなかった（「相互作用なし」）。
【０１１５】
「相互作用なし」グループ、及び少なくとも１つのメッセージング合図（試験Ａ〜Ｅとして提示される）に気付いた人についての投与挙動を記録し、結果（２つのパックが推奨される、提供された洗濯の大きな負荷に投与されたパックの平均数として）を以下の表３に示す。
【０１１６】
【表３】
2019167162.tif 000004
【０１１７】
表３に示されるように、メッセージング合図（試行Ａ〜Ｅ）のうちの少なくとも１つに気付いたパネリストは、合図に気付かなかったパネリスト（「相互作用なし」）よりも多くの数の洗濯パック、及びより推奨容量に近い数の洗濯パックを投与する傾向がある。
【０１１８】
メッセージング合図のうちの少なくとも１つに気付いたグループでは、試行Ａは、最大数のパックが平均的に投与され、平均１．８３パックは、推奨される用量の２パックに最も近い。試行Ｄは、平均で投与された２番目に多いパックをもたらした。理論に束縛されるものではないが、消費者が、内容積部に到達したときに構造体を撓ませることによって、本開示のメッセージング構造体と相互作用するとき、消費者は、代替構造体と比較して、投与指示に気付き、投与指示を習得し、及び投与指示に従う可能性がより高いと考えられる。
【０１１９】
フォローアップ試験において消費者パネリストから収集された定性的データに基づくと、円形自由端を有するメッセージング構造体が、矩形端部を有するメッセージング構造体に好ましく、円形構造体は、少なくとも容器の円形入口と位置合わせされたときに、相互作用中に不快感を引き起こす可能性が低く、及び／又はより視覚的に魅力的であったことが分かる。取り付け位置に関しては、容器の側部付近から延在する構造体、及び容器の前部付近から延在する構造体が、同様に好ましいことが見出された。
【０１２０】
実施例４．例示的な単位用量処方
本開示の容器システムは、単位用量物品を収容することができる。単位用量物品は、それぞれ組成物を含有する２つ又は３つの区画を含んでもよい。区画に含有される組成物の例示的な処方及び量を、以下の表４に提供する。物品はパウチの形態であってもよく、これは、ＭｏｎｏＳｏｌ，ＬＬＣ（米国インディアナ州）からのＭ８６３０フィルムなどの任意の好適なフィルムから形成され得る。
【０１２１】
【表４】
2019167162.tif 000005
１米国特許第７１６９７４４号に記載されるような硫酸モノ−［２−（３，４−ジヒドロ−イソキノリン−２−イル）−１−（２−エチル−ヘキシルオキシメチル）−エチル］エステル
２ＰＡＰ＝フタロイル−アミノ−ペルオキシカプロン酸、７０％活性湿潤ケーキとして
３−ＮＨ１個当たり２０個のエトキシレート基を有するポリエチレンイミン（ＭＷ＝６００）。
４エトキシル化チオフェン、ＥＯ（Ｒ１＋Ｒ２）＝５
５ＲＡ＝予備アルカリ度（ＮａＯＨのｇ／用量）
【０１２２】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば「４０ｍｍ」として開示される寸法は、「約４０ｍｍ」を意味するものとする。
【０１２３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１２４】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019167162.tif 000006
【図２】
2019167162.tif 000007
【図３】
2019167162.tif 000008
【図４】
2019167162.tif 000009
【図５】
2019167162.tif 000010
【図６】
2019167162.tif 000011
【図７】
2019167162.tif 000012
【図８】
2019167162.tif 000013
【図９】
2019167162.tif 000014
【図１０】
2019167162.tif 000015
【図１１】
2019167162.tif 000016
【図１２】
2019167162.tif 000017
【外国語明細書】
2019167162.tif 000018
2019167162.tif 000019
2019167162.tif 000020
2019167162.tif 000021
2019167162.tif 000022
2019167162.tif 000023
2019167162.tif 000024
2019167162.tif 000025
2019167162.tif 000026
2019167162.tif 000027
2019167162.tif 000028
2019167162.tif 000029
2019167162.tif 000030
2019167162.tif 000031
2019167162.tif 000032
2019167162.tif 000033
2019167162.tif 000034
2019167162.tif 000035
2019167162.tif 000036
2019167162.tif 000037
2019167162.tif 000038
2019167162.tif 000039
2019167162.tif 000040
2019167162.tif 000041
2019167162.tif 000042
2019167162.tif 000043
2019167162.tif 000044
2019167162.tif 000045
2019167162.tif 000046
2019167162.tif 000047
2019167162.tif 000048
2019167162.tif 000049
2019167162.tif 000050
2019167162.tif 000051
2019167162.tif 000052
2019167162.tif 000053
2019167162.tif 000054
2019167162.tif 000055
2019167162.tif 000056
2019167162.tif 000057